(57)【要約】【課題】構成が簡単で、例えば身飾品であるアクセサリーとして利用したり、催し会場内に設置される飾り品の外表面や、建造物の外表面等を独特な光の装飾で自由に飾る。【解決手段】プラス通電線２及びマイナス通電線３と、双方の通電線２，３に実装した発光源１０と、双方の通電線２，３に装着して発光源１０を収容し保護する光透過性を有する保護部材１５と、双方の通電線２，３を保護部材１５とともに収容するチューブ２０とを備えて成り、双方の通電線２，３に電源からの電力を与えることで発光源１０を発光させる。チューブ２０は熱収縮性ある素材で形成し、熱を与えることで収縮した状態で双方の通電線２，３、各保護部材１５を密着させて通電線２，３に発光源１０を保持させる。【選択図】      図１
2004254981.tif 000002
【特許請求の範囲】
【請求項１】
プラス通電線及びマイナス通電線と、双方の通電線から給電可能にして通電線上に実装される発光源と、双方の通電線を発光源とともに収容するチューブとを備えて成り、双方の通電線に電源からの電力を与えることで発光源を発光させるようにしたことを特徴とする発光具。
【請求項２】
プラス通電線及びマイナス通電線は、絶縁性の被覆材が被覆されている請求項１に記載の発光具。
【請求項３】
プラス通電線及びマイナス通電線は、帯板状のベース部材上に絶縁された状態で平行配置されている請求項１に記載の発光具。
【請求項４】
発光源はＬＥＤ素子である請求項１乃至３の何れかに記載の発光具。
【請求項５】
双方の通電線に装着されて発光源を収容し保護する光透過性を有する保護部材材を発光源に装着してある請求項１乃至４の何れかに記載の発光具。
【請求項６】
チューブは、熱収縮性のある部材から成り、所要温度の受熱でプラス通電線、マイナス通電線、発光源更にはベース部材、保護部材を一体状に包覆するようにしてある請求項１乃至５の何れかに記載の発光具。
【発明の詳細な説明】
【０００１】
【発明の属する技術分野】
本発明は、電力が供給されるプラス通電線及びマイナス通電線に発光源（ＬＥＤ素子等）を実装するとともにチューブ内に収容させることで、例えば人の着用する衣服や手に掛け回す身飾品であるアクセサリーや、立体構造物の外表面に掛け回す装飾品として利用できるようにした線状となる発光具に関する。
【０００２】
【従来の技術】
従来から、ＬＥＤ素子等の発光源を例えば基板上に縦横の格子状に複数配列し、電力の供給を制御することで所要個所の発光源を発光させて、所要の文字や絵柄等の光表示を行う発光装置等が普及している。
【０００３】
【発明が解決しようとする課題】
しかしながら、従来においては、所要の場所に発光装置として据え付ける形態を成すため、発光源を格子状に配列する基板や、制御回路、枠を構成するハウジング等を備えた大掛かりな装置となり、例えば身飾品であるアクセサリーとして利用する構成や、催し会場内に設置される飾り品の外表面、あるいは建造物の外表面等を連続した線状となる自由な配列形態の独特な光の装飾で飾るといった構成には適さない欠点があった。
【０００４】
本発明は上記欠点に鑑み創出されたものであり、構成が簡単で、例えば身飾品であるアクセサリーとして利用可能である他、催し会場内に設置される各種の飾り品の外表面や、建造物の外表面等を線状となる連続した光の装飾で自由に飾ることができるようにした発光具を提供することを目的とする。
【０００５】
【課題を解決するための手段】
上述した課題を解決するため、本発明にあっては、プラス通電線２及びマイナス通電線３と、双方の通電線２，３から給電可能にして通電線２，３上に実装される発光源１０と、双方の通電線２，３を発光源１０とともに収容するチューブ２０とを備えて成り、双方の通電線２，３に電源からの電力を与えることで発光源１０を発光させるようにしたことに存する発光具１としたものであり、発光源１０は複数にして適宜間隔で配列される。
プラス通電線２及びマイナス通電線３は、絶縁性の被覆材４が被覆されており、また、プラス通電線２及びマイナス通電線３は、帯板状のベース部材５上に絶縁された状態で平行配置されているものとできる。
発光源１０はＬＥＤ素子であるものとでき、また、双方の通電線２，３に装着されて発光源１０を収容し保護する光透過性を有する保護部材材１５を発光源１０に装着して構成することができる。
チューブ２０は、熱収縮性のある部材から成り、所要温度の受熱でプラス通電線２、マイナス通電線３、発光源１０更にはベース部材５、保護部材１５を一体状に包覆するようにしてあるものとできる。
【０００６】
以上のように構成された本発明に係る発光具１にあって、電源からの電力をプラス通電線２及びマイナス通電線３の間に供給することで、双方の通電線２，３の間に実装された発光源１０を発光させ、この発光が保護部材１５を介しあるいは介さずにチューブ２０を透過して放射される。
チューブ２０は、これの内部に収容した通電線２，３、ベース部材５、発光源１０更には保護部材１５等を包覆することで、これらを保護させ、また被照明・発光対象物その他に対して屈曲状に配列使用されるもそれらの被配列面に追随させ、安定した状態で装着させる。
発光具１自体は、所定長さの長尺状に構成され、またある程度の剛性化で被照明・発光対象物に対する装着使用時の保形性を維持させ、例えばアクセサリー材としての汎用性を増大させる。
【０００７】
【発明の実施の形態】
以下、図面を参照して本発明の一実施の形態を説明するに、図において示される符号１は本発明に係る発光具であり、プラス通電線２及びマイナス通電線３と、双方の通電線２，３に例えば所定間隔毎に実装される複数の発光源１０と、双方の通電線２，３に装着されて発光源１０夫々を収容し保護する光透過性を有する複数の保護部材１５と、双方の通電線２，３を各発光源１０、保護部材１５とともに収容するチューブ２０とを備えて構成されている。
【０００８】
プラス通電線２及びマイナス通電線３は、例えば一般的に使用される電力線、リード線のような通電可能な線材から成り、夫々の通電線２，３の表面には例えば薄膜状、筒状等の合成樹脂材製の絶縁性の被覆材４が被覆されている。双方の通電線２，３は、互いに分離した状態にあっても良いが、製造の容易性、即ち発光源１０の実装作業の容易性等及び組立の容易性、即ちチューブ２０内への収容作業の容易性等を考慮して、被覆材４をあらかじめ一体のペア形のものとすることで、双方の通電線２，３が並列状態に連結されていることが望ましい。
【０００９】
またこの通電線２，３は図３、図４に示すように、可撓性ある細く、肉薄な長尺帯板状のベース部材５上に平行配置されることで構成することもできる。この場合、ベース部材５自体を絶縁性ある素材によって形成するとともに所定の間隔を隔てて通電線２，３夫々を配置することで通電線２，３夫々は裸線形態とすることもでき、必要があれば通電線２，３夫々に絶縁被覆を施すことも可能である。なお、ベース部材５自体が例えば金属材等の非絶縁材料であるときは通電線２，３夫々に絶縁被覆を施すことは勿論である。
【００１０】
なお、ベース部材５は例えば図５乃至図８に示すように、手指あるいは手首等に嵌る程度の内径に形成されたほぼリング状に、またやや硬質のあるいは剛性のものとなるように形成することで、指輪、腕輪等となる装飾品となすこともできる。もとより装飾品となす場合に、ペンダント、ネックレス等の形態となるように、通電線２，３の支持配置構造、チューブ２０による被覆構造等を含め種々な長さ、柔軟性の程度その他は適宜に選定されることは勿論である。
【００１１】
発光源１０は、例えば平面四角形状でなるべく肉薄に構成されるとともに、上面が発光面となるように構成されたＬＥＤ素子であり、図示の如く、例えば上面の一対角線上のコーナーの位置に端子線１１，１２を備えている。発光源１０は、一方の端子線１１を例えばプラス通電線２に、他方の端子線１２を例えばマイナス通電線３に夫々接続することで、双方の通電線２，３に実装される。そして、一組のプラス通電線２及びマイナス通電線３に対しては、被覆材４の一部を剥離もしくは溶解して除去し、その除去部分に発光源１０の端子線１１，１２を各々接続することで、所定間隔毎に複数の発光源１０が発光可能に実装される。なお、各発光源１０の実装に際しては、はんだ付け、ワイヤボンディングその他の手法による。
【００１２】
保護部材１５は、例えば光透過性のある無色透明もしくは有色透明の合成樹脂材やガラス材等から構成されて成り、一つもしくは場合によっては複数の発光源１０を収容するための中空状の収容部１６を有するとともに、収容した発光源１０の発光の放射角度を種々変更して外表面に形成された例えば球面あるいはダイヤモンドカット状のレンズ状放射面の如き１個あるいは複数の放射面１７を備えて構成されている。また、保護部材１５における収容部１６の開放側端面には、プラス通電線２及びマイナス通電線３の断面形状に沿うように抉った凹部、例えば図示のように通電線２，３の円形状の外形形状に一致し得る例えば半円形状の凹部を装着の安定性の観点から好ましくは形成してあり、この保護部材１５の装着に際しては例えば接着剤等を用いることができる。
【００１３】
チューブ２０は、無色もしくは有色の光透過性を有する熱収縮性のある部材、例えば軟性の熱収縮性の合成樹脂材等から成り、中軸線方向に沿う内部空洞内に発光源１０を保護する複数の保護部材１５を装着したプラス通電線２及びマイナス通電線３を挿通させ収容するものである。またチューブ２０は、例えば７０度乃至８０度程度の所要温度の熱風、熱温水等が当てられることで熱収縮されるのであり、受熱によって熱収縮してプラス通電線２及びマイナス通電線３の相互を並列配置した状態で、更には発光源１０を保護した複数の保護部材１５を双方の通電線２，３に押圧ないしは密接させた状態に処理してそれらを一体化させる。尚、チューブ２０にて包覆したときの外径大きさは、例えば５〜１０ｍｍ程度のものとされるも、これより小径にすることも大径にすることも任意であり、ただ、５〜１０ｍｍ程度のものとすることで取り扱いの容易性が得られる。
【００１４】
なお、このチューブ２０自体は通電線２，３自体の長さの選定と共に所定の長さのものとすることができ、また必要があれば電気的接続手段、例えばプラグ、コンセント、ソケット等を介して所定長さの本発明発光具１夫々を接続して連続した所定長さの長尺線状の発光具とすることは可能である。このとき接続されない通電線２，３の端部は例えばキャップ等によって閉塞しておくとよい。
【００１５】
次に以上のように説明された実施の形態における使用の一例について説明するに、可撓性ある通電線２，３上に発光源１０を適宜間隔で配列させ、またその発光源１０を保護部材１５にて覆い、これらを透過性あるチューブ２０にて被覆してあることで、通電線２，３に供給された電力によって発光源１０が発光するのであり、これを例えば光り輝かせる各種物品の周囲に巻回したり、各種物品・各種場所等に並べ置いたり、蛇行状に置いたりするのである。このとき、軟性であるチューブ２０とすることで全体的に自由に撓めることが可能であり、例えば人の衣服の上に掛け回したり、手に掛け回したり等することで身飾品であるアクセサリーとして利用したり、所要の構造物の外表面等に掛け回して利用したりすることもできる。またレンズ作用がある保護部材１５によって発光源１０を覆っておくことで、その放射面１７が発光源１０の発光を複数の放射面１７を通して屈曲しつつ放射角度を変形あるいは拡散して放射させるのである。
【００１６】
また図５、図６に示すように、線状となる発光具１自体を例えば手指、腕等に嵌める程度の大きさとなるようにほぼリング状に形成し、装飾体３０を連繋して成るものとする。このときの装飾体３０は、表面に適宜な装飾が施され、所定の形状に形成された筐体（ハウジング）３１と、この筐体３１内に収容され、通電線２，３に接続される乾電池の如き電源３２と、通電線２，３への電力の供給を制御、例えばＯＮ−ＯＦＦするスイッチ３３とを備えて成るものである。なお、発光具１自体の発光源１０は、図示のように例えば円弧状に滑らかな状態で突出するように、例えば円弧状突部構造となっている保護部材１５によって覆うものとしてあり、また必要があれば発光源１０部位以外は有色の不透明なものとしておくことも可能である。尚、筐体３１は、上下方向で分割可能な２分割構造のものとしてあるも、その分割形態に制限がないばかりでなく、内部収容の電源３２の交換・着脱が自在に行えるようになっていれば足りる。
【００１７】
あるいは図７、図８に示すように、発光具１自体を例えば首から吊り下げられるようにネックレス形態に形成し、それ自身で装飾性ある外形に形成した装飾体３０を連繋支持するものとする。尚、本例においては図５、図６に示された構成各部には同一の符号を使用することでその構成の詳細は省略される。また装飾体３０自体は、図示のように例えばハート形状とするのみならず、種々な形状とすることができ、例えば幾何学的形状、具象物形状、キャラクター形状その他を選定でき、更にはこの装飾体３０に照明灯を付与したり、装飾体３０自体を照明体としたりすることも、もとより可能である。
【００１８】
尚、これらの使用例にあっての発光具１における発光源１０部位は、なだらかな円弧小山状を呈するようにして、外観的体裁、手指等による取り扱いが良好なるように配慮してあるも、これに限定されるものではない。
【００１９】
【発明の効果】
本発明は以上のように構成されているために、構成が大掛かりでなく極めて簡単でありながら、例えば身飾品であるアクセサリーとして利用したり、催し会場内に設置される飾り品の外表面や、建造物の外表面等を独特な光の装飾で自由に飾る装飾品として利用したりすることができ、新規なイルミネーションを発揮することができる。
【００２０】
即ち、これは本発明において、プラス通電線２及びマイナス通電線３と、双方の通電線２，３から給電可能にして通電線２，３上に実装される発光源１０と、双方の通電線２，３を発光源１０とともに収容するチューブ２０とを備えて成るからであり、これによって、極めて簡単な構成で生産コストが安く、しかもチューブ２０が双方の通電線２，３とともに自由に折り曲げることが可能であることと相俟って、人の体や、どのような平面・立体形状の構造物の外表面でも自由に掛け回して光の装飾性を与えることができ、使用者や周囲の人々に光り輝く美しさを提供することができる。
【００２１】
プラス通電線２及びマイナス通電線３は絶縁性の被覆材４によって被覆され、あるいは帯板状のベース部材５上で絶縁状態で平行配置されているから、双方の通電線２，３を近づけた並列状態に保持でき、チューブ２０内への収容作業を極めて簡単にでき、組立を容易にするばかりでなく、その可撓性によって自由な形態で屈曲使用でき、多様な用途を可能にし、汎用性に富むものとなる。
【００２２】
発光源１０には、ＬＥＤ素子が用いられるため、低電力で発光させることができ、例えばアクセサリーとして構成するときに電池を電源３３として使用したとしても使用時間を長くすることができ、そのために光の発光を変化させたより美しい光の装飾を提供することができ、人々の注目を集め人々の気持ちを明るく潤すことができる。
【００２３】
発光源１０に装着する保護部材１５は、発光源１０を収容し保護する光透過性を有するために、発光源１０自体を十分に保護し、外部からの衝撃、振動その他に対する耐衝撃性を高めるものとでき、更には、その色彩着色による各種の着色光、外表面に形成した放射面によるレンズ効果等を発揮させるようにすることもできる。
【００２４】
チューブ２０は、熱収縮性のある部材から成り、所要温度の受熱でプラス通電線２、マイナス通電線３、発光源１０更にはベース部材５、保護部材１５等を密接させた状態に保持することができるため、利用に際し壊れ難く安心して使用することができる。
【図面の簡単な説明】
【図１】
本発明の一実施の形態における一部切欠分解斜視図である。
【図２】
同じく斜視図である。
【図３】
他の実施の形態における一部切欠分解斜視図である。
【図４】
同じく斜視図である。
【図５】同じくアクセサリーとして構成した一例における斜視図である。
【図６】同じくその分解斜視図である。
【図７】同じくアクセサリーとして構成した他例における斜視図である。
【図８】同じくその分解斜視図である。
【符号の説明】
１…発光具                          ２…プラス通電線
３…マイナス通電線                  ４…被覆材
５…ベース部材                      １０…発光源
１１，１２…端子線                  １５…保護部材
１６…収容部                        １７…放射面
２０…チューブ                      ３０…装飾体
３１…筐体                          ３２…電源
３３…スイッチ
【図１】
2004254981.tif 000003
【図２】
2004254981.tif 000004
【図３】
2004254981.tif 000005
【図４】
2004254981.tif 000006
【図５】
2004254981.tif 000007
【図６】
2004254981.tif 000008
【図７】
2004254981.tif 000009
【図８】
2004254981.tif 000010